(57)【要約】【課題】適切な輸送方法を選択することができる輸送管理装置、輸送管理方法およびプログラムを提供する。【解決手段】輸送管理装置１は、記憶部１１と、輸送物品情報取得部１２と、判定部１３と、選択部１４と、を備える。記憶部１１は、物品の寸法を表す物品寸法情報と、物品の外装の寸法を表す外装寸法情報と、輸送業者と外装との組み合わせごとの輸送費を表す輸送費情報と、を記憶する。輸送物品情報取得部１２は、輸送する物品を表す輸送物品情報を取得する。判定部１３は、外装が、輸送物品情報に含まれる物品を梱包可能な寸法であるか否かを、物品寸法情報と外装寸法情報とに基づいて判定する。選択部１４は、判定部１３が物品を梱包可能な寸法であると判定した外装を含み、輸送費が基準条件を満たす、輸送業者と外装との組み合わせを選択する。【選択図】図１
2019139620.tif 000002
【特許請求の範囲】
【請求項１】
物品の寸法を表す物品寸法情報と、物品の外装の寸法を表す外装寸法情報と、輸送業者と外装との組み合わせごとの輸送費を表す輸送費情報と、を記憶する記憶手段と、
輸送する物品を表す輸送物品情報を取得する輸送物品情報取得手段と、
前記輸送費情報に含まれる前記外装が、前記輸送物品情報に含まれる物品を梱包可能な寸法であるか否かを、前記物品寸法情報と前記外装寸法情報とに基づいて判定する判定手段と、
前記判定手段が物品を梱包可能な寸法であると判定した外装を含み、前記輸送費情報が表す輸送費が基準条件を満たす、輸送業者と外装との組み合わせを選択する選択手段と、を備える、
輸送管理装置。
【請求項２】
前記輸送物品情報に含まれる物品が内装で包装された状態の寸法を推定する内装付物品寸法推定手段をさらに備え、
前記判定手段は、前記輸送費情報に含まれる前記外装が、前記輸送物品情報に含まれる物品が内装で包装された状態で梱包可能な寸法であるか否かを、前記内装付物品寸法推定手段が推定した寸法に基づいて判定する、
請求項１に記載の輸送管理装置。
【請求項３】
前記記憶手段は、さらに物品を内装で包装した実績を表す実績情報を記憶し、
前記内装付物品寸法推定手段は、前記実績情報に基づいて、物品が内装で包装された状態の寸法を推定する、
請求項２に記載の輸送管理装置。
【請求項４】
前記判定手段は、輸送業者と外装との組み合わせごとに、前記輸送費情報に含まれる輸送費が安い順に判定し、
前記選択手段は、前記判定手段が最初に物品を梱包可能な寸法であると判定した前記組み合わせを選択する、
請求項１から３のいずれか１項に記載の輸送管理装置。
【請求項５】
物品の外装が梱包可能な寸法であるか否かを、物品の寸法を表す物品寸法情報と、物品の外装の寸法を表す外装寸法情報とに基づいて判定する判定ステップと、
前記判定ステップで物品を梱包可能な寸法であると判定した外装を含み、輸送業者と外装との組み合わせごとの輸送費を表す輸送費情報に基づいて、輸送費が基準条件を満たす、輸送業者と外装との組み合わせを選択する選択ステップと、を備える、
輸送管理方法。
【請求項６】
コンピュータに、
物品の外装が梱包可能な寸法であるか否かを、物品の寸法を表す物品寸法情報と、物品の外装の寸法を表す外装寸法情報とに基づいて判定する判定ステップと、
前記判定ステップで物品を梱包可能な寸法であると判定した外装を含み、輸送業者と外装との組み合わせごとの輸送費を表す輸送費情報に基づいて、輸送費が基準条件を満たす、輸送業者と外装との組み合わせを選択する選択ステップと、
を実行させるためのプログラム。
【発明の詳細な説明】
【技術分野】
【０００１】
本発明は、輸送管理装置、輸送管理方法およびプログラムに関する。
【背景技術】
【０００２】
輸送する物品の寸法に応じて輸送方法を自動的に決定する輸送管理装置が開発されている。例えば、特許文献１には、梱包する物品の寸法情報に基づいて、適当な大きさの梱包箱を選定する梱包形態選択システムが開示されている。
【先行技術文献】
【特許文献】
【０００３】
【特許文献１】特開２００３−１７５９１８号公報
【発明の概要】
【発明が解決しようとする課題】
【０００４】
荷物の大きさまたは重さと輸送費用との関係は輸送業者ごとに異なる。したがって、単に物品の外装をできる限り小さくするだけでは、輸送業者の選定と物品の外装を含めた輸送方法を最適化することはできない。例えば、１つの大きな段ボールよりも総体積が増えるとしても、小さな段ボールを２つにした方が、輸送費用が安い場合もある。このような問題に対して、特許文献１に開示されたシステムでは、輸送業者ごとの違いを選択結果に反映できないため、輸送業者の選定を含めて適切な輸送方法を選択することはできない。
【０００５】
本発明は、上記実情に鑑みてなされたものであり、適切な輸送方法を選択することができる輸送管理装置、輸送管理方法およびプログラムを提供することを目的とする。
【課題を解決するための手段】
【０００６】
上記目的を達成するため、本発明の輸送管理装置は、記憶手段と、輸送物品情報取得手段と、判定手段と、選択手段と、を備える。記憶手段は、物品の寸法を表す物品寸法情報と、物品の外装の寸法を表す外装寸法情報と、輸送業者と外装との組み合わせごとの輸送費を表す輸送費情報と、を記憶する。輸送物品情報取得手段は、輸送する物品を表す輸送物品情報を取得する。判定手段は、輸送費情報に含まれる外装が、輸送物品情報に含まれる物品を梱包可能な寸法であるか否かを、物品寸法情報と外装寸法情報とに基づいて判定する。選択手段は、判定手段が物品を梱包可能な寸法であると判定した外装を含み、輸送費情報が表す輸送費が基準条件を満たす、輸送業者と外装との組み合わせを選択する。
【発明の効果】
【０００７】
本発明によれば、輸送費が基準条件を満たす、輸送業者と外装との組み合わせを選択することによって、適切な輸送方法を選択することができる輸送管理装置、輸送管理方法およびプログラムを提供することができる。
【図面の簡単な説明】
【０００８】
【図１】本発明の実施の形態１に係る輸送管理装置の機能ブロック図
【図２】本発明の実施の形態１に係る物品寸法情報の一例を表す図
【図３】本発明の実施の形態１に係る外装寸法情報の一例を表す図
【図４】本発明の実施の形態１に係る輸送費情報の一例を表す図
【図５】本発明の実施の形態１に係る輸送物品情報の一例を表す図
【図６】本発明の実施の形態１に係る輸送方法情報の一例を表す図
【図７】本発明の実施の形態１に係る輸送管理装置のハードウェア構成図
【図８】本発明の実施の形態１に係る輸送方法選択処理のフローチャート
【図９】本発明の実施の形態２に係る輸送管理装置の機能ブロック図
【図１０】本発明の実施の形態２に係る物品内装情報の一例を表す図
【図１１】本発明の実施の形態２に係る内装寸法情報の一例を表す図
【図１２】本発明の実施の形態２に係る内装付物品寸法情報の一例を表す図
【図１３】本発明の実施の形態２に係る輸送方法選択処理のフローチャート
【発明を実施するための形態】
【０００９】
（実施の形態１）
以下、本発明の輸送管理装置を、物品の輸送業務に適用した実施の形態について、図面を参照して説明する。
【００１０】
物品の輸送業務には、例えば、工作機械の保守サービスを行う企業が、故障の連絡を受けて保守部品を出荷する業務が該当する。企業の保守担当者は、故障の連絡を受けてすぐに保守部品の輸送費を算出して、保守費用を確定したいものと考えられる。そこで、保守担当者は、本実施の形態に係る輸送管理装置を使用して、輸送費をできるだけ低く抑えた輸送業者と出荷箱の大きさを選定する。
【００１１】
具体的には、本実施の形態に係る輸送管理装置１は、図１に示すように、各種情報を記憶する記憶部１１と、輸送する物品の情報を取得する輸送物品情報取得部１２と、外装に物品が梱包可能か否かを判定する判定部１３と、輸送方法として輸送業者と外装との組み合わせを選択する選択部１４と、ユーザの操作を受ける操作部１５と、情報を表示する表示部１６と、を備える。
【００１２】
記憶部１１は、物品の寸法を表す物品寸法情報ＢＳと、物品の外装の寸法を表す外装寸法情報ＧＳと、輸送業者と外装との組み合わせごとの輸送費を表す輸送費情報ＹＣと、を記憶する。
【００１３】
物品寸法情報ＢＳは、図２に示すように、物品を識別する物品ＩＤと、各物品の縦、横、高さ等の寸法情報と、を含む情報である。物品を内装で包装し、さらに外装で包装する場合、物品寸法情報ＢＳには、内装で包装した状態での物品の寸法が含まれる。
【００１４】
外装寸法情報ＧＳは、図３に示すように、外装を識別する外装名称と、各外装の縦、横、高さ等の寸法情報と、を含む情報である。一般に物品を輸送する場合、内装で包装し、さらに外装で包装する場合がある。ここでは、輸送する際に輸送業者に引き渡す梱包材を外装と呼び、内部の梱包材である内装とは区別する。ただし、本実施の形態においては、内装は考慮せず、外装を単に包装するための梱包材として扱うものとする。外装名称は、外装の種別と大きさの目安を表す名称であり、例えば、「段ボール：中」、「折畳コンテナ：大」と表される。ただし、外装名称は、物品の外装を識別できれば、どのような内容でも良い。寸法情報は、物品を包装する形態における外装の寸法を表す。例えば、「段ボール：特小」の寸法は、図３の第１レコードによれば、段ボールを組み上げた状態において、縦１００ｃｍ、横５０ｃｍ、高さ８０ｃｍの寸法を持つ。
【００１５】
輸送費情報ＹＣは、図４に示すように、外装を識別する外装名称と、各外装の輸送業者ごとの輸送費と、を含む情報である。例えば、図４の第１レコードによれば、「段ボール：特小」で梱包した物品を輸送する場合、輸送業者Ａは１５０円、輸送業者Ｂは１００円、輸送業者Ｃは８０円となる。また、輸送費情報ＹＣには、輸送可能であるか否かの情報が含まれる。例えば、図４の第４レコードによれば、「段ボール：大」の輸送業者Ａの輸送費が定義されていない。これは、輸送業者Ａが「段ボール：大」を輸送できないことを意味している。
【００１６】
このように、記憶部１１は、物品寸法情報ＢＳと、外装寸法情報ＧＳと、輸送費情報ＹＣと、を記憶する記憶手段として機能する。
【００１７】
図１に戻り、輸送物品情報取得部１２は、輸送する物品の情報を取得する。具体的には、表示部１６が、ユーザが輸送する物品の情報を入力するための入力画面を表示する。ユーザは、例えば、保守担当者であれば顧客からの電話を受けて、表示部１６に表示された入力画面を見ながら操作部１５を操作して、輸送する物品の情報を入力する。すると、輸送物品情報取得部１２は、操作部１５を介して、輸送物品情報ＹＢを取得する。この輸送物品情報ＹＢは、図５に示すように、一回ごとの輸送を識別する輸送Ｎｏと、輸送する物品の物品ＩＤおよびその個数からなる輸送物品の内訳と、を含む情報である。このように、輸送物品情報取得部１２は、輸送物品情報ＹＢを取得する輸送物品情報取得手段として機能する。
【００１８】
図１に戻り、判定部１３は、外装に物品が梱包可能か否かを判定する。具体的には、判定部１３は、輸送物品情報ＹＢに含まれる輸送Ｎｏの輸送物品について、輸送費情報ＹＣに含まれる外装名称ごとに、判定処理を行う。その判定処理において、判定部１３は、外装名称に該当する外装の寸法情報を外装寸法情報ＧＳから取得する。そして、判定部１３は、処理対象の輸送Ｎｏに該当するすべての輸送物品を、外装に梱包することができるか否かを判定する。
【００１９】
選択部１４は、輸送方法として輸送業者と外装との組み合わせを選択する。具体的には、判定部１３の判定結果に基づいて、処理対象の輸送Ｎｏに該当するすべての輸送物品を梱包することができる外装と輸送業者との組み合わせであって、基準となる条件を満たす組み合わせを選択する。ここで、基準となる条件とは、具体的には、最も輸送費が安い組み合わせであるという条件である。選択部１４は、選択した輸送方法を、輸送方法情報ＹＨとして記憶部１１に書き込む。
【００２０】
輸送方法情報ＹＨは、図６に示すように、輸送Ｎｏごとに選択された輸送業者と外装名称とを含む情報である。
【００２１】
操作部１５は、ユーザによる操作を受け付ける。例えば、前述の通り、操作部１５は、ユーザによる輸送する物品の情報を入力する操作を受け付ける。
【００２２】
表示部１６は、各種情報を表示する。例えば、表示部１６は、前述の通り、ユーザが輸送する物品の情報を入力するための入力画面を表示する。また、表示部１６は、記憶部１１に格納された輸送方法情報ＹＨを表示しても良い。
【００２３】
次に、輸送管理装置１のハードウェア構成について、図７を参照して説明する。輸送管理装置１は、各種の処理を実行するＣＰＵ（Central Processing Unit）１０１と、揮発性メモリであるＲＡＭ（Random Access Memory）１０２と、不揮発性メモリであるＲＯＭ（Read Only Memory）１０３と、各種情報を記憶するハードディスクドライブ１０４と、操作を受け付けるキーボード１０５と、情報を表示するディスプレイ１０６と、を備える。
【００２４】
ＣＰＵ１０１は、ハードディスクドライブ１０４に記憶されているプログラムをＲＡＭ１０２に読み出して実行することにより、後述する各種処理を実行する。
【００２５】
ＲＡＭ１０２は、ＣＰＵ１０１の作業領域として用いられる。
【００２６】
ＲＯＭ１０３は、ＣＰＵ１０１が実行する輸送管理装置１の基本動作のための制御プログラム、ＢＩＯＳ（Basic Input Output System）等を記憶する。
【００２７】
ＣＰＵ１０１、ＲＡＭ１０２およびＲＯＭ１０３は、協同して、前述の輸送物品情報取得部１２、判定部１３および選択部１４として機能する。
【００２８】
ハードディスクドライブ１０４は、情報を記憶する媒体であり、前述の物品寸法情報ＢＳ、外装寸法情報ＧＳ、輸送費情報ＹＣ等が格納される。したがって、ハードディスクドライブ１０４は、前述の記憶部１１として機能する。
【００２９】
キーボード１０５は、情報入力装置であり、ユーザの操作による各種情報の入力を受ける。キーボード１０５は、前述の操作部１５として機能する。
【００３０】
ディスプレイ１０６は、液晶パネル、プロジェクタ等の情報表示装置である。ディスプレイ１０６は、前述の表示部１６として機能する。
【００３１】
次に、輸送管理装置１の動作について、図面を参照して説明する。
【００３２】
前提として、記憶部１１には、物品寸法情報ＢＳ、外装寸法情報ＧＳおよび輸送費情報ＹＣがあらかじめ格納されている。ユーザは、例えば、工作機械の保守担当者であり、顧客から故障の連絡を受けて、故障の内容から輸送すべき保守部品を特定する。そして、ユーザは、表示部１６に表示された入力画面を見ながら操作部１５を操作して、輸送する物品の情報を入力する。
【００３３】
そして、輸送管理装置１は、ユーザから輸送する物品の情報の入力を受けると、輸送方法選択処理を実行する。輸送管理装置１が輸送方法選択処理を開始すると、図８に示すように、輸送物品情報取得部１２は、入力を受けた情報から輸送物品情報ＹＢを取得する（ステップＳ１１）。なお、以下の処理は、輸送Ｎｏごとに処理される。
【００３４】
次に、選択部１４は、輸送方法を選択するため、判定部１３による後続の処理の実行順を次のように規定する。すなわち、選択部１４は、基準となる条件に合致する順番に、選択する輸送方法の候補となる、輸送業者と外装の組み合わせを並べる。具体的には、選択部１４は、基準となる条件が、輸送費が最も安い組み合わせであるという条件である場合、輸送費が安い順に、輸送業者と外装との組み合わせを並べる。なお、輸送方法の候補に含まれる外装は１つとは限らず、１種の外装を複数個使用する場合、複数の外装を使用する場合等も含まれる（ステップＳ１２）。
【００３５】
次に、判定部１３は、ステップＳ１２で選択部１４が規定した順番に従って、未処理の組み合わせのうちの最初の順番の組み合わせの外装に、すなわち、未処理の組み合わせのうちの最も輸送費が安い組み合わせの外装に、処理中の輸送Ｎｏに該当するすべての輸送物品が梱包可能であるか否かを判定する。具体的には、判定部１３は、輸送物品を適切に積み重ねた状態を推定して、処理中の輸送Ｎｏに該当するすべての物品を外装に納めることができるか否かを判定する。より詳細には、判定部１３は、積み重ねる形状、位置をどうするか、複数の外装にどのような組み合わせで物品を梱包するか、といったことを適宜変化させて梱包状態を推定することによって、処理中の輸送Ｎｏに該当するすべての輸送物品が梱包可能であるか否かを判定する（ステップＳ１３）。このステップＳ１３において、判定部１３は、輸送費情報ＹＣに含まれる外装が、輸送物品情報ＹＢに含まれる物品を梱包可能な寸法であるか否かを判定する判定手段として機能する。また、このステップＳ１３は、物品の外装が梱包可能な寸法であるか否かを判定する判定ステップとして機能する。
【００３６】
判定部１３は、処理中の輸送Ｎｏに該当するすべての輸送物品が梱包可能でないと判定した場合（ステップＳ１３：Ｎｏ）、輸送方法の候補に未処理の組み合わせが存在するか否かを判定する（ステップＳ１４）。そして、判定部１３は、未処理の組み合わせが存在すると判定した場合（ステップＳ１４：Ｙｅｓ）、ステップＳ１３の処理に戻る。一方、判定部１３が、未処理の組み合わせが存在しないと判定した場合（ステップＳ１４：Ｎｏ）、梱包可能な組み合わせが見つからないため、輸送管理装置１は、輸送方法選択処理を終了する。
【００３７】
ステップＳ１３の処理において、判定部１３が、処理中の輸送Ｎｏに該当するすべての輸送物品が梱包可能であると判定した場合（ステップＳ１３：Ｙｅｓ）、選択部１４は、その判定の対象となった組み合わせ、すなわち処理中の組み合わせを、輸送方法として選択する。そして、選択部１４は、選択した結果を表す輸送方法情報ＹＨを記憶部１１に書き込む（ステップＳ１５）。このステップＳ１５において、選択部１４は、輸送費が基準条件を満たす、輸送業者と外装との組み合わせを選択する選択手段として機能する。また、このステップＳ１５は、輸送費が基準条件を満たす、輸送業者と外装との組み合わせを選択する選択ステップとして機能する。その後、輸送管理装置１は、輸送方法選択処理を終了する。
【００３８】
以上のようにして、輸送管理装置１は、輸送方法選択処理を実行する。輸送方法選択処理によって組み合わせが選択されなかった場合、輸送ができないということになる。そこで、表示部１６は、輸送方法の選択ができなかった旨のエラーメッセージを表示しても良い。ユーザは、その表示を見て、輸送物品情報ＹＢの入力に間違いが無かったか、記憶部１１に格納された各種情報に誤りが無いか、等を確認して、必要に応じた対応を行うことができる。
【００３９】
輸送方法選択処理によって組み合わせが選択された場合、表示部１６は、輸送方法情報ＹＨを表示しても良い。ユーザは、その表示を見て、輸送業者の手配、物品の梱包等の作業を行うことができる。また、輸送管理装置１は、輸送方法情報ＹＨに基づいて、輸送に関する処理を実行しても良いし、図示しない他の配送管理システム、輸送業者の受注システム等に連携しても良い。
【００４０】
本実施の形態に係る輸送管理装置１によれば、輸送費に対する条件に基づいて、外装に梱包可能か否かを判定するため、単に外装を小さくするだけではなく、輸送費の観点で最適な条件となる輸送方法を選択することができる。それによって、無駄な輸送費を抑えることができる。
【００４１】
（実施の形態２）
実施の形態１では、輸送物品の寸法に基づいて、外装で梱包可能か否かを判定する例を例示した。本実施の形態では、物品を内装で梱包した物品の寸法を推定し、その推定結果に基づいて、外装で梱包可能か否かを判定する例を例示する。以下、本実施の形態については、実施の形態１と異なる部分を中心に説明する。
【００４２】
本実施の形態に係る輸送管理装置２は、図９に示すように、実施の形態１に係る輸送管理装置１に備えられる機能部の他に、内装で梱包した物品の寸法を推定する内装付物品寸法推定部１７をさらに備える。また、記憶部１１は、物品ごとの適切な内装を表す物品内装情報ＢＮと、内装の寸法を表す内装寸法情報ＮＳと、をさらに記憶する。
【００４３】
物品内装情報ＢＮは、図１０に示すように、物品ＩＤと内装を識別する内装名称とを関連付けて含む情報である。物品内装情報ＢＮには、物品を輸送する際の物品ごとの適切な内装があらかじめ決められている。
【００４４】
内装寸法情報ＮＳは、図１１に示すように、内装を識別する内装名称と、各内装の縦、横、高さ、厚さ等の寸法情報と、を含む情報である。
【００４５】
内装付物品寸法推定部１７は、物品を内装で包装した内装付物品の寸法を推定する。具体的には、内装付物品寸法推定部１７は、輸送物品情報取得部１２が取得した輸送物品を、物品内装情報ＢＮに規定された内装で包装した状態での寸法を、内装寸法情報ＮＳに含まれる内装の寸法に基づいて推定する。ここで、内装付物品寸法推定部１７は、各物品を１つずつ包装する個装を前提として推定しても良いし、複数の物品をまとめて包装することを推定結果に含めても良い。より詳細には、例えば、内装付物品寸法推定部１７は、内装の縦、横、高さ等に基づいて、物品を包装する個数を推定しても良い。また、内装付物品寸法推定部１７は、内装の厚さに基づいて、物品を包装した状態での寸法が、包装しない状態と比較してどれだけ変わるのかを推定しても良い。
【００４６】
内装付物品寸法推定部１７は、推定した結果を、内装付物品寸法情報ＮＢＳとして、記憶部１１に書き込む。内装付物品寸法情報ＮＢＳは、図１２に示すように、輸送Ｎｏごとの物品を、必要に応じて複数個まとめて包装した内装付物品の寸法情報が含まれる。
【００４７】
次に、本実施の形態に係る輸送管理装置２の動作について、実施の形態１に係る輸送管理装置１との違いを中心に、図面を参照して説明する。
【００４８】
前提として、記憶部１１には、物品寸法情報ＢＳ、外装寸法情報ＧＳおよび輸送費情報ＹＣの他に、物品内装情報ＢＮと、内装寸法情報ＮＳとがあらかじめ格納されている。
【００４９】
輸送管理装置２は、実施の形態１に係る輸送管理装置１と同様に、ユーザから輸送する物品の情報の入力を受けると、輸送方法選択処理を実行する。輸送管理装置２が輸送方法選択処理を開始すると、図１３に示すように、輸送物品情報取得部１２は、入力を受けた情報から輸送物品情報ＹＢを取得する（ステップＳ１１）。
【００５０】
次に、内装付物品寸法推定部１７は、輸送物品情報ＹＢに含まれる物品を、内装で包装した状態の寸法を推定する。具体的には、内装付物品寸法推定部１７は、物品寸法情報ＢＳから輸送する物品ごとの寸法を取得し、物品内装情報ＢＮからそれぞれの物品をどの内装で包装するかを取得する。そして、内装付物品寸法推定部１７は、内装寸法情報ＮＳからそれぞれの内装の寸法を取得して、輸送物品情報ＹＢに含まれる個数のうち、いくつずつ内装で包装するかを算定して、包装した状態の寸法を推定する。内装付物品寸法推定部１７は、そのようにして推定した結果を内装付物品寸法情報として記憶部１１に格納する（ステップＳ１６）。このステップＳ１６において、内装付物品寸法推定部１７は、物品が内装で包装された状態の寸法を推定する内装付物品寸法推定手段として機能する。
【００５１】
ステップＳ１６に続いて、実施の形態１に係る輸送方法選択処理と同様に、選択部１４は、輸送方法を選択するため、判定部１３による後続の処理の実行順を次のように規定する（ステップＳ１２）。
【００５２】
続くステップＳ１３における判定処理において、判定部１３は、物品を内装で包装された状態で、外装に梱包可能か否かを判定する。その他の処理は、実施の形態１に係る輸送方法選択処理と同様である。
【００５３】
本実施の形態に係る輸送管理装置２によれば、物品を内装で包装した状態の寸法を推定することによって、外装に梱包可能か否かの判定の精度を上げることができる。それによって、実際の梱包作業において、物品を内装で包装したことで、選択された外装に梱包できないというトラブルを回避し、再手配のための無駄な労力とコストを削減することができる。
【００５４】
（変形例）
本発明は、上述した実施の形態に限定されるわけではなく、その他の種々の変更が可能である。
【００５５】
上述の実施の形態では、選択部１４が、輸送費が最も安くなる組み合わせを選択する例を例示した。本発明の範囲はこれに限られず、輸送費が基準となる条件を満たすものを選択する。例えば、輸送費がある範囲の金額であることを条件としても良い。また、輸送費以外の条件を含めて、複合的な条件としても良い。
【００５６】
輸送方法選択処理のステップＳ１２において、最初に判定部１３が明らかに梱包できない組み合わせを除外しても良い。例えば、最も大きい物品が入らない大きさの外装だけで構成される組み合わせは、先に除外しても良い。これによって、ステップＳ１３における処理を軽減することができる。また、輸送方法選択処理のステップＳ１２において、最初に判定部１３が寸法以外の条件で合致しない組み合わせを除外しても良い。例えば、輸送可能地域、時間指定の可否、他の顧客との同梱可否、輸送可能な最大重量等の輸送条件を輸送業者の情報として記憶部１１に格納しておく。そして、輸送物品情報取得部１２は、これらの輸送条件を取得する。判定部１３は、輸送条件に合致する輸送業者以外の組み合わせを除外しても良い。
【００５７】
また、判定部１３による外装に梱包可能か否かの判定は、重さを考慮しても良い。例えば、物品寸法情報ＢＳ、外装寸法情報ＧＳ、輸送費情報ＹＣおよび内装寸法情報ＮＳは、重さの情報を含んでも良い。そして、判定部１３は、重さを基準として梱包可能か否かを判定しても良い。本明細書において、「寸法」は重さを含む概念として理解することができる。
【００５８】
また、物品寸法情報ＢＳは、反転可否、積み重ね可否等の同梱条件を表す情報を含んでも良い。判定部１３による外装に梱包可能か否かの判定は、同梱条件を考慮しても良い。
【００５９】
上述の実施の形態２に係る輸送管理装置２の内装付物品寸法推定部１７は、物品内装情報ＢＮおよび内装寸法情報ＮＳに基づいて、内装で包装した状態の物品の寸法を推定する例を例示した。それに代えて、内装付物品寸法推定部１７は、実績に基づいて、内装で包装した状態の物品の寸法を推定しても良い。具体的には、記憶部１１に、内装で包装した実績を表す実績情報を格納しておく。内装付物品寸法推定部１７は、実績情報に基づいて内装で包装した状態の物品の寸法を推定する。また、内装付物品寸法推定部１７は、物品内装情報ＢＮおよび内装寸法情報ＮＳに加えて、実績情報を加味して推定しても良い。このように、実績情報に基づいて内装で包装した状態の物品の寸法を推定することによれば、判定部１３による判定の精度を上げることができる。
【００６０】
上述の実施の形態では、輸送物品情報取得部１２が、ユーザが操作部１５を操作して入力した情報から輸送物品情報ＹＢを取得する例を例示した。しかし、輸送物品情報取得部１２が輸送物品情報ＹＢを取得する方法はこれに限られない。例えば、輸送物品情報取得部１２は、図示しない他のシステムから情報を受信することによって、輸送物品情報ＹＢを取得しても良い。
【００６１】
本実施の形態に係る輸送管理装置１，２は、専用の装置によらず、通常のコンピュータを用いて実現可能である。例えば、コンピュータに上述のいずれかを実行するためのプログラムを格納した記録媒体から該プログラムをコンピュータにインストールすることにより、上述の処理を実行する輸送管理装置１，２を構成してもよい。また、複数のコンピュータが協同して動作することによって、１つの輸送管理装置１，２を構成してもよい。
【００６２】
また、コンピュータにプログラムを供給するための手法は、任意である。例えば、通信回線、通信ネットワーク、通信システム等を介して供給してもよい。
【００６３】
また、上述の機能の一部をＯＳ（Operating System）が提供する場合には、ＯＳが提供する機能以外の部分をプログラムで提供すればよい。
【００６４】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００６５】
１，２  輸送管理装置、１１  記憶部、１２  輸送物品情報取得部、１３  判定部、１４  選択部、１５  操作部、１６  表示部、１７  内装付物品寸法推定部、１０１  ＣＰＵ、１０２  ＲＡＭ、１０３  ＲＯＭ、１０４  ハードディスクドライブ、１０５  キーボード、１０６  ディスプレイ、ＢＳ  物品寸法情報、ＧＳ  外装寸法情報、ＹＣ  輸送費情報、ＹＢ  輸送物品情報、ＹＨ  輸送方法情報、ＢＮ  物品内装情報、ＮＳ  内装寸法情報、ＮＢＳ  内装付物品寸法情報。
【図１】
2019139620.tif 000003
【図２】
2019139620.tif 000004
【図３】
2019139620.tif 000005
【図４】
2019139620.tif 000006
【図５】
2019139620.tif 000007
【図６】
2019139620.tif 000008
【図７】
2019139620.tif 000009
【図８】
2019139620.tif 000010
【図９】
2019139620.tif 000011
【図１０】
2019139620.tif 000012
【図１１】
2019139620.tif 000013
【図１２】
2019139620.tif 000014
【図１３】
2019139620.tif 000015